(57)【特許請求の範囲】
【請求項１】
スティック状化粧料容器の筒状スリーブの先端に着装するキャップであって、その側面下部には弾性片からなる複数の保持部を設け、側面上部には複数の空気抜き孔を設け、当該空気抜き孔内には、孔の縁部分より延設されその自由端側が筒状スリーブと接するように形成された弾性片からなる爪を設け、当該キャップの上面内側円周部において筒状スリーブの先端部を封止するとともに、前記保持部および前記爪において当該筒状スリーブを保持し、当該キャップと前記筒状スリーブの側面内側に隙間を形成することを特徴とするスティック状化粧料製造用キャップ。
【請求項２】
キャップ下端にリブを有する請求項１記載のスティック状化粧料製造用キャップ。
【請求項３】
キャップの側面上部の空気抜き孔を３つ、側面下部の保持部を３つ設けたことを特徴とする請求項１または２記載のスティック状化粧料製造用キャップ。
【発明の詳細な説明】
【０００１】
【発明の属する技術分野】
本発明は、スティック状化粧料製造用キャップに関し、更に詳細には、口紅等のスティック状化粧料製造するに当たり、溶融された化粧料を当該容器中に充填するに先立って、当該化粧料を保持するためにスティック化粧料容器の筒状スリーブの先端に装着され、化粧料が固化・成型された後には取り除かれるスティック状化粧料用キャップに関する。
【０００２】
【従来の技術】
スティック状化粧料は、その簡便性、携帯性等から、口紅を始めとした種々の化粧料として使用されている。この化粧料の調製は、例えば図６に示すように、化粧料容器を構成する筒状スリーブの先端にキャップを装着した後、筒状スリーブの後端から溶融された化粧料を充填して一体固化させることにより行われている。
【０００３】
このような製造法において、現在いくつかの問題が知られている。例えば、溶融した化粧料が固化する時に、その体積は減少するが、キャップの円周面に接するスティック状化粧料の先端となる部分は、空気が流入しにくいため、剥離しにくく、剥離後の表面が平滑でなく凸凹した面になってしまうことがあった。また、キャップはスリーブに押し込み、これらの間の摩擦力で保持しているが、筒状スリーブは金属製であることが一般的であり、その工作精度には若干の誤差がある。この結果、筒状スリーブとキャップの間がゆるすぎて、キャップが簡単に外れ落ち、溶融した化粧料が流出したり、逆にきつすぎて外しにくいという問題もあった。
【０００４】
上記のうち、特にスティック状化粧料の先端部分が平滑面にならないという問題は、スティック状化粧料の商品価値を著しく低下させるものであり、その改善が強く求められていた。
【０００５】
【発明が解決しようとする課題】
従って本発明は、スティック化粧料の製造に際し、得られた製品の先端部分を平滑なものとすることができ、しかも、筒状スリーブとの間での嵌合性に優れ、常に適度な保持力を与えることのできるスティック状化粧料用キャップの提供をその課題とするものである。
【０００６】
【課題を解決するための手段】
本発明者らは、上記課題を解決すべく鋭意検討を行った結果、キャップ側面に一定の隙間を設けるとともに、当該部分に弾性片からなる保持部および空気抜き孔を設けることにより、空気の流通性と嵌合性を両立することができ、先端部の平滑なスティック状化粧料を効率よく製造しうることを見い出し、本発明を完成した。
【０００７】
すなわち本発明は、スティック状化粧料容器の筒状スリーブの先端に着装するキャップであって、その側面下部には弾性片からなる複数の保持部を設け、側面上部には複数の空気抜き孔を設け、当該空気抜き孔内には、孔の縁部分より延設されその自由端側が筒状スリーブと接するように形成された弾性片からなる爪を設け、当該キャップの上面内側円周部において筒状スリーブの先端部を封止するとともに、前記保持部および前記爪において当該筒状スリーブを保持し、当該キャップと前記筒状スリーブの側面内側に隙間を形成することを特徴とするスティック状化粧料製造用キャップである。
【０００８】
【発明の実施の形態】
次に本発明のいくつかの実施態様を示す図面を挙げ、本発明を更に詳しく説明するが、本発明はこれらに何ら制約されるものではない。
【０００９】
図１ａは、本発明の一実施態様のスティック状化粧料製造用キャップ（以下単に、「キャップ」という）の右側面図、図２ａおよび図３ａはそれぞれこのキャップの平面図および底面図である。図中、１はキャップ、２ａは保持部、３は爪、４は空気抜き孔、５はリブ、６はキャップ頂部をそれぞれ示す。
【００１０】
本発明のキャップは、図１ａおよび図２ａから理解されるように、その側面に保持部２ａ、空気抜き孔４およびリブ５を有し、その上部は、上に若干突き出したキャップ頂部６を有する。また、保持部２ａは、図３ａからわかるように、キャップの内側に緩やかに突出した形状である。この突出した部分は、後述するが、キャップを筒状スリーブ７に装着した際に筒状スリーブの外面と接し、筒状スリーブのがたつきを抑えるはたらきを持つものである。なお、図面に示した態様においては、キャップの内側に緩やかに突出した形状であるが、筒状スリーブの外面と接してそのがたつきを抑えることのできるものであれば、その形状は限定されない。
【００１１】
この図１ａから図３ａに示された実施態様においては、保持部２ａは、下辺および左右両辺を切り欠き、上辺でのみ結合した弾性片の形状になっているが、これに限定されるものでなく、キャップ１を後記筒状スリーブに保持できる形状であればどのような形状であってもよい。なお、この実施態様では、保持部２ａおよび空気抜き孔４はそれぞれ３個設けられているが、これに限定されず、より多くの保持部２および空気抜き孔４を設けても良いし、空気抜き孔４は減らすこともできる。このキャップは、種々の材料で構成することができるが、製造のし易さ、取扱易さ及び弾性の面からプラスチック材料を用いることが好ましい。
【００１２】
他の実施態様としては、例えば、保持部を、キャップ側面の左右両辺のみを切り欠き、弾性片を上辺及び下辺で支持するようにして形成した例を図１ｂから図３ｂに示した。保持部２ｂは、図３ｂに示したように、図３ａの保持部２ａと同様にキャップ１の内側に緩やかに突出している。この保持部２ｂの場合、弾性片が上辺及び下辺で支持されているため、上辺のみで支持されている保持部２ａと比べて保持部２ｂがキャップ１に対して安定して固定されており、よりしっかりと筒状スリーブ７のがたつきを抑えることができる。
【００１３】
このキャップをスティック状化粧料容器（以下単に、「容器」という）に装着した状態を図４に、また、その状態での断面を図５に示す（化粧料は記載していない）。図中、７は筒状スリーブを、８は外筒を、９は隙間を、１０は接触点をそれぞれ示す。
【００１４】
本発明のキャップ１は、図４に示すように、容器の筒状スリーブ７に装着するのであるが、この際、キャップ１は筒状スリーブ７と、保持部２の内側に突出した部分、空気抜き孔４のそばの爪３および図５に示す接触点１０において接する（図５では断面図であり、１０は接触点として示されているが、実際は、スリーブの上面内側円周部で連続的に接し、充填されるスティック状化粧料の流出を防ぐ）。また、爪３は、キャップ１の上部が筒状スリーブ７の先端部と適正な接触点１０の位置で接触する要にガイドし、キャップ１の上部がぶれて傾くことがないように保持するはたらきをする。この爪は、保持効果の面から見て、弾性片であることが好ましく、また、複数個設けることが好ましい。
【００１５】
そして、キャップ１を装着した筒状スリーブ７の下部（図示しない）から、溶融したスティック状化粧料を流し込むと、これはキャップ１の内側裏面および筒状スリーブ７で形成される空間に充填される。この間、保持部２と爪３により、キャップ１は保持され、筒状スリーブ７から脱落することはなく、また接触点１０は、筒状スリーブ７の上縁部と連続的に接するから、ここからスティック状化粧料が漏れ出すこともない。
【００１６】
次に、充填されたスティック状化粧料は、冷却と共に収縮することになるが、本発明のキャップ１と筒状スリーブ７の側面の間には、隙間９が存在し、更に空気抜き孔４があり、しかも冷却に伴い、筒状スリーブ自体の体積が減少することや、接触点１０は筒状スリーブ７と連続的に接するものの密閉状態ではないことより、接触点１０を越えて空気が上記空間に容易に流入することとなる。
【００１７】
そしてこの結果、空気がスティック状化粧料とキャップ１の内側裏面に流入するから、ここで、スティック状化粧料とキャップ裏面の剥離はスムーズに行われ、得られるスティック化粧料の先端部分は平滑となるのである。
【００１８】
なお、筒状スリーブ７は、化粧料として使用できれば何れの形状でもよく、例えば横断面の形状が円形、楕円形、四角形、多角形等である筒の先端が水平や斜めに、あるいは曲面にて切り落とされた形状を挙げることができる。ここで、横断面が円形の筒においては、その先端が斜めに切り落とされた形状であれば、化粧料として使いやすく、また、キャップに回転力が加わりにくく外れにくいため好ましい形状となる。
【００１９】
【作用】
本発明のキャップは、筒状スリーブに若干の製作上の誤差があっても、保持部によりその誤差を吸収し、キャップの抜け落ちを防止することができる。また、筒状スリーブの側面とキャップの間に空気の流通可能な隙間を形成しているため、充填したスティック状化粧料が収縮する際にスティック化粧料先端部とキャップ内側裏面の間に空気が入りやすく、容易にこの面が剥離し、先端が平滑なスティック状化粧料を得ることができるものである。
【００２０】
【発明の効果】
スティック状化粧料の製造に際して本発明のキャップを用いれば、筒状スリーブに若干の誤差にかかわらず、安定に保持され、充填中のキャップの脱落等の問題が生じない。また、スティック状化粧料の収縮に際しては、キャップ内側裏面への空気に流入が行われやすいので、スティック化粧料のキャップへの付着の問題が解消され、常に先端部が平滑なスティック化粧料を得ることができる。
【００２１】
従って本発明のキャップは、化粧品の製造工程において、歩留まり良く、口紅、リップクリーム、コンシーラー、皮膚美白用スティック、日焼け止め用スティック等のスティック状化粧料を得るために、極めて有利なものである。
【図面の簡単な説明】
【図１ａ】  本発明の一実施態様であるキャップの右側面図である。
【図１ｂ】  本発明の他の実施態様であるキャップの右側面図である。
【図２ａ】  本発明の一実施態様であるキャップの平面図である。
【図３ａ】  本発明の一実施態様であるキャップの底面図である。
【図３ｂ】  本発明の他の実施態様であるキャップの底面図である。
【図４】    本発明のキャップをスティック状化粧料容器に装着した状態を示す図面である。
【図５】    本発明のキャップをスティック状化粧料容器に装着した状態での断面を示す図面である。
【図６】    従来のスティック状化粧料の充填の状態を示す図面である。
【符号の説明】
１ … … キャップ                   ６ … … キャップ頂部
２ａ 、２ｂ… … 保持部             ７ … … 筒状スリーブ
３ … … 爪                         ８ … … 外筒
４ … … 空気抜き孔                 ９ … … 隙間
５ … … リブ                     １０ … … 接触点
【図１ａ】
0004777529.tif 000002
【図１ｂ】
0004777529.tif 000003
【図２ａ】
0004777529.tif 000004
【図３ａ】
0004777529.tif 000005
【図３ｂ】
0004777529.tif 000006
【図４】
0004777529.tif 000007
【図５】
0004777529.tif 000008
【図６】
0004777529.tif 000009